Podtech/llm-jp-corpus-v4-ja_patent huggingface dataset:
(57)【要約】【課題】運搬、保管はシート体で行ない、        使用する時にはレジ袋のサイズに応じて円筒状の径の寸法を変更して被せる事が出来る。        又、分解も容易なので迅速な撤収も可能となるゴミ入れシートを提供する。【解決手段】ゴミ入れシート１を円筒状に丸めて、            切溝折込部５が重なる位置で折り込む事により円筒状を形成する。            更にＵ字折込部６を折り込む事で強度が増し保形性に優れる。            重なる位置を変えればゴミの投入口となる円筒状の径の寸法が変えられるのでレジ袋のサイズを問わない。            円筒状を形成し、レジ袋を被せる事によってゴミ入れとなるゴミ入れシートである。【選択図】図４
2014037300.tif 000002
【特許請求の範囲】
【請求項１】
シート体に切溝折込部を有するゴミ入れシート。
【請求項２】
上記切溝折込部はシート体の対辺に斜角に切溝を入れて形成する請求項１に記載のゴミ入れシート。
【請求項３】
Ｕ字切溝折込部を有する請求項１又は２に記載のゴミ入れシート。
【請求項４】
請求項１〜３のいずれかに記載のゴミ入れシートの切溝折込部を折り込む時に円筒状上面の径の寸法を変更可能とするゴミ入れ。
【発明の詳細な説明】
【技術分野】
【０００１】
本発明は、組み立て、撤収、保管、運搬を容易にしたゴミ入れシート及びゴミ箱に関する。
【背景技術】
【０００２】
従来のゴミ入れは金属やプラスチックで形成された円筒型のゴミ箱が広く使用されている。
【先行技術文献】
【特許文献】
【０００３】
【特許文献１】特開２０００−１２８３０１（Ｐ２０００−１２８３０１Ａ）    特開２００１−６３８０２（Ｐ２００１−６３８０２Ａ）    特開平６−１５６６０５
【発明の概要】
【発明が解決しようとする課題】
【０００４】
金属やプラスチックのゴミ箱では円筒型で形成されるので運搬時、保管時にデッドスペースが生じる。
大量に必要になった場合では重量があるので迅速性に欠け、
製造コストが掛かるので数量を揃える事は難しい。
又、ゴミ箱の投入口の径が決まっているのでサイズの合うレジ袋しか被せる事が出来ない。
【課題を解決するための手段】
【０００５】
ゴミ入れシート１を円筒状に丸めて、切溝折込部５、Ｕ字切溝折込部６が重なり合う位置で折り込む事により円筒状を保持する。
誰にでも簡単に組み立てる事が出来、レジ袋を被せる事によってゴミ入れとして機能する。
又、組み立てる時にゴミ入れシート１の切溝折込部５、Ｕ字切溝折込部６の重ねる位置を変えて折り込めば、
ゴミの投入口となる円筒状の径の寸法が変えられるのでレジ袋のサイズを問わずに使用することが出来る。
【発明の効果】
【０００６】
運搬、保管を効率化し、大量に必要となった場合にも迅速かつ容易に対処出来るようになった。
金属やプラスチックを形成して作らず、シート体に切溝を入れる事で製造コストを低減させることが出来る。
レジ袋のサイズを問わずに使用することが出来るので順応性に優れている。
大量に使用した場合には分解、廃棄を容易に出来るので迅速な撤収が可能となる。
【図面の簡単な説明】
【０００７】
【図１】本発明の平面図である。
【図２】本発明の側面図である。
【図３】本発明を円筒状にする途中図である。
【図４】本発明を組み立てた斜視図である。
【図５】本発明を組み立てた上面図である。
【発明を実施するための形態】
【０００８】
以下、本発明の実施の形態について、図面を参照しつつ詳細に説明する。
図１は本発明の平面図を示すがゴミ入れシート１はシート体である。
切溝３をシート体２の辺から斜角に切り込みを入れることにより切溝折込部５となる
又。Ｕ字切溝４を入れることにより、Ｕ字折込部６となる。
【０００９】
上記構成からなるゴミ入れシート１は図３に示すように円筒状にしていく。
円筒状を保持し、重なり合う切溝折込部５を折り込む事で円筒状を形成する。
更にＵ字折込部６を折り込む事で強度が増し保形性に優れたゴミ入れシート１となる。
【００１０】
そして、組み立てたものが図４の斜視図となる。
円筒状を形成したゴミ入れシート１にレジ袋やゴミ袋を被せる事でゴミ入れとなる。
図５は本発明を組み立てた上面図を示すが、
切溝折込部５の重なる位置を変えればゴミの投入口となる円筒状の径の寸法が変えられる。
【００１１】
使用後は折り込んだ切溝折込部５とＵ字切溝折込部６を起こし戻す事によって分解も容易に出来る。
又、ゴミ入れシート１を紙類で製造すればゴミ入れシート１ごと捨てることが出来る。
よって大量に使用した場合にも分解、廃棄が容易に出来るので迅速な撤収が可能となる。
【符号の説明】
【００１２】
１  ゴミ入れシート
２  シート体
３  切溝
４  Ｕ字切溝
５  切溝折込部
６  Ｕ字切溝折込部
７  穴
【図１】
2014037300.tif 000003
【図２】
2014037300.tif 000004
【図３】
2014037300.tif 000005
【図４】
2014037300.tif 000006
【図５】
2014037300.tif 000007
(57)【要約】      （修正有）【課題】小型、安価に無菌環境を作り出し無菌操作を可能にする器具を提供する。【解決手段】ヒートシール可能なプラスチックフィルム製の筒３の上部にステンレススチール製の筒１を接着し、筒の口をシリコーンゴム板５で塞ぎ、液体の出し入れは注射針をつけたシリンジで行い、物品の場合はヒートシールにより密封出来、取り出す場合は対象物の上下を挟むように密封し、切り取ることで対象物及びプラスチックバッグの内部は共に無菌のまま切り離せる。【選択図】図１
2014037271.tif 000002
【特許請求の範囲】
【請求項１】
ヒートシール可能なプラスチックフィルム製の筒（３）の上部にステンレススチール製の筒（１）を接着し、筒の口をシリコーンゴム板（５）で塞いだプラスチックバッグ。
【発明の詳細な説明】
【技術分野】
【０００１】  本発明は、袋内部で様々な無菌操作を行えるプラスチックバッグに関するものである。
【背景技術】
【０００２】  従来、無菌操作は大型で高価なクリーンベンチが必要で設備の整った研究施設でしか行えなかった。
【発明の概要】
【発明が解決しようとする課題】
【０００３】  本発明はクリーンベンチの代わりに、物品の出し入れ方法を工夫したプラスチックバッグを利用することで、道具を小型化し、安価に無菌状態を保持するためなされたものである。
【課題を解決するための手段】
【０００４】  ヒートシール可能なプラスチックフィルム製の筒（３）の上部にステンレススチール製の筒（１）を接着し、筒の口をシリコーンゴム板（５）で塞ぐ。
以上の構成からなるプラスチックバッグである。
【発明の効果】
【０００５】  本発明は必要に応じて蒸気滅菌が可能である。
また、使用者が内部に物品を入れ、ヒートシールにより密封することが出来る。
取り出したい物があるときは、対象物の上下を挟むよう密封し、切り取ることで対象物及びプラスチックバッグの内部は共に無菌のまま切り離せる。
液体の出し入れは注射針をつけたシリンジで行う。
袋内部の無菌を保つため、針をエタノールにさっとくぐらせ、シリコーンゴムを火炎で包みながら素早く針を挿入することで微生物の侵入を防ぐことが出来る。
シャーレやビーカーの代替として、バッグ内部に薬剤を注入し洗浄することで行う試料の殺菌や、試料と共に封入した刃物を使っての切断、培地を流し込んでの培養など、一般的な無菌操作で行われているさまざまな操作を行うことが出来る。
【図面の簡単な説明】
【０００６】
【図１】  本発明の斜視図
【図２】  図１のＡ−Ａ断面図
【発明を実施するための形態】
【０００７】  ポリエステルとポリプロピレンを張り合わせたシート２枚を、ポリプロピレンを内側にして左右両端のシートの接着部（２）で張り合わせてプラスチックフィルム製の筒（３）を作る。この上部にステンレススチール製の筒（１）を接着し下部に開口部（４）を持つ袋状にする。筒の口の大きさにあわせて切断したシリコーンゴム板（５）を入れ、かしめて固定する。
以上の構成からなるプラスチックバッグである。
【符号の説明】
【０００７】１  ステンレススチール製の筒
２  シートの接着部
３  プラスチックフィルム製の筒
４  開口部
５  シリコーンゴム板
【図１】
2014037271.tif 000003
【図２】
2014037271.tif 000004
(57)【要約】【課題】タイヤチエーン内側にスプリングを付けたタイヤチエーンを提供する。【解決手段】タイヤチエーンの内側リング（１）に、スプリング（２）を組み込むことを特徴とする。【選択図】図１
2014037232.tif 000002
【特許請求の範囲】
【請求項１】
タイヤチエーンの内側リング（１）に、スプリング（２）を組込んだことを特徴とするスプリング式タイヤチエーン。
【発明の詳細な説明】
【技術分野】
【０００１】この発明は、タイヤチエーン内側にスプリングを付けたタイヤチエーンに関するものである。
【背景技術】
【０００２】従来のタイヤチエーンは、背面と全面の２か所で連結する方式であった。
（特許文献１参照）
【先行技術文献】
【特許文献】
【０００３】
【特許文献１】  特開２００１−２１３１２７号公報
【発明の概要】
【発明が解決しようとする課題】
【０００４】これは、次のような欠点があった。
従来、タイヤチエーンは梯子形でタイヤ背面と前面で連結する。
背面の連結は、手を入れ手探り状態の作業となり時間がかかり苦手な人も多かった。
本発明は、以上のような欠点をなくすためになされたものである。
【課題を解決するための手段】
【０００５】タイヤチエーンの内側リング（１）に、スプリング（２）３本を組み込む。
本発明は、以上の構成よりなるスプリング式タイヤチエーンである。
【発明の効果】
【０００６】タイヤチエーンが一体なので、取付け、取外しが早く簡単である。
バネの締付効果でタイヤと一体になり、雪面のグリップ効果が増大する。
従来のチエーン締付バンドは必要ない。
服が汚れることもない。
【図面の簡単な説明】
【０００７】
【図１】  本発明のチエーン構造図である。
【図２】  本発明のチエーン構造図である。
【発明を実施するための形態】
【０００８】以下、本発明を実施するための形態について説明する。
タイヤチエーンの内側リング（１）に、スプリング（２）を３本組み込む。
外側リング（３）はチエーンのみである。
この内側リング（１）と外側リング（３）を、グリップチエーン（４）でつなぎ一体とする。
本発明は、以上のような構造である。
本発明を使用するときは、スプリング（２）１か所を左右タイヤ（５）前に敷きタイヤを載せる。
次に、スプリング（２）をひっぱりながらタイヤ（５）に被せ、チエーン全体を調整する。
また取外しは、タイヤ（５）上部のチエーン（１）を引張り手前にはずす。
以上のように簡単、迅速な付外しができる。
他の実施例を説明する。
ジャッキアップして取付けても、同様に取付けられる。
【符号の説明】
【０００９】    １    内側リング
２    スプリング
３    外側リング
４    グリップチエーン
５    タイヤ
【図１】
2014037232.tif 000003
【図２】
2014037232.tif 000004
(57)【要約】      （修正有）【課題】ヘリコプターがホバリングしながら遭難者を救助しているが、メインローターから台風並みの強風が吹き荒れ、遭難者の救助活動に障害を与えている上、大型双発ヘリコプターの低空飛行により、地上の樹木の葉が全部飛散し、大量の土砂を巻き上げている。ローター下方での作業性を改善する装置を提供する。【解決手段】送風機３で水平方向の強風を下方風に合流させてやれば、傘の場合のように、ヘリコプターの浮力に負圧をかけることなく下方風を分散させることができる。【選択図】図１−２
2014037220.tif 000002
【特許請求の範囲】
【請求項１】
ヘリコプター・メインローターの回転により発生する下方風が直接に人体や物体に当たって障害にならないようにするため、メインローターの下側に設置して水平方向に送風する分散送風機。
【発明の詳細な説明】
【０００１】  ヘリコプターの生産性向上に関する分野である。
【０００２】  ヘリコプターがホバリングしながら人命救助したり、低空飛行したりする際、メインローターの回転により発生する下方風が人体や物体に当たり、作業性を悪化させているのが現状である。
【０００３】  ヘリコプターがホバリングしながら遭難者を担架に乗せ、ロープでヘリコプターまで引き上げて救助しているが、ホバリングの高度が低いほどメインローターから台風並みの強風が吹き荒れ、救助地点が地面であれば土砂を吹き上げ、救助地点が河川、湖、海などの水面であれば、大量の水滴を吹き上げながら大波を発生させ、ボートのような小舟であれば転覆する恐れがあり、弱っている遭難者や救助活動に障害を与えている。
さらに大型の双発ヘリコプターが低空飛行すれば、木の葉や枝を飛散させ、地上の土砂を巻き上げている状態をテレビ等で確認した。
【０００４】  ヘリコプター・メインローターの下方風による障害を除くためには、下方風が真下に吹き下ろさないようにメインローターの下側に傘を開いて水平方向に流出させることが可能であるが、下方風が傘に当たりヘリコプターの浮力に対して負圧に働くので、不経済の上、危険である。
そこで、本発明のように、送風機で水平方向の強風を下方風に合流させてやれば、ヘリコプターの浮力に対して負圧をかけないで下方風を分散させることができる。
【図面の簡単な説明】
【図１−１】  上面図
【図１−２】  側面図
【符号の説明】１  、ヘリコプター・ボディ
２  、メインローター
２’、メインローターの回転軌跡
３  、送風機と送風機の吹出口
４  、メインローターの下方風の分散方向
５  、送風機水平風の分散方向
【図１−１】
2014037220.tif 000003
【図１−２】
2014037220.tif 000004
(57)【要約】      （修正有）【課題】鍋でお湯を沸かすとき、鍋を覆い熱をなるべく逃がさずに、お湯を沸かす遮熱フィルムを張ったガラスや陶器の鍋を覆うふたを提供する。【解決手段】ガラスに遮熱フィルムを張ったものや陶器製の鍋５を覆うふたをかぶせて早くお湯を沸かすふた３。【選択図】図１
2014037952.tif 000002
【特許請求の範囲】
【請求項１】
ガス台、ＩＨヒーターでお湯を沸かすとき熱が鍋の外側を上えと  上がっていき熱を無駄にしていた遮熱フイルムを張ったガラス、または  または陶磁器に遮熱フィルムを張ったものをかぶせ鍋ごと覆い、熱を逃がさず早くお湯を沸かす鍋のふたである。
【発明の詳細な説明】
【技術分野】
【０００１】本発明は、ガス、ＩＨヒーターの熱を逃がすことがなく早くお湯を沸かす鍋のふたに関するものである。
【背景技術】
【０００２】従来、鍋でお湯を沸かすときは鍋の中にふたをしていたそのため熱がそのままに上に上がり効率が悪かった。
【発明が解決しようとする課題】
【０００３】（イ）そのために次のような問題点があった。（ロ）熱がほとんど上に逃げてしまい効率が悪かった
【発明が解決しようとする課題】
【０００４】そのため次のような問題点があった（イ）熱が鍋の底に当たり外側に逃げて熱効率が悪かった。
【発明の効果】
【０００５】  本発明は、ガラスに遮熱フイルムを張ったものや陶器など  鍋を覆うため熱をほとんど逃がさず鍋に伝わるため早くお湯を沸かす
【発明を実施するための最良の形態】
【０００６】以下、本発明の最良の形態を説明する（イ）お湯を沸かすとき鍋を丸ごと覆い熱効率をよくして早くお湯を沸かすことができる
【図面の簡単な説明】
【０００７】
【図１】本発明の斜視図
【図２】本発明の斜視図
【図３】本発明の斜視図
【図４】本発明の斜視図
【符号の説明】［図１］ガスコンロ用ふた    １空気逃がし穴    ２ふたの取っ手    ３ふた    ４鍋の取っ手    ５鍋［図２］ＩＨヒーター用ふた    １ふた    ２ふたの取っ手    ３鍋    ４鍋の取っ手［図３］取っ手が取れるガスコンロ用ふた    １空気逃がし穴    ２ふた    ３ふたの取っ手    ４鍋［図４］取っ手が取れるＩＨヒーター用ふた    １ふた    ２ふたの取っ手    ３鍋
【図１】
2014037952.tif 000003
【図２】
2014037952.tif 000004
【図３】
2014037952.tif 000005
【図４】
2014037952.tif 000006
(57)【要約】【課題】従来のエアコンは、冷房運転時、室内機の熱交換器で集熱した熱は屋外機の熱交換器から大気中に無駄に捨ていたが、その熱を捨てないで有効利用する。【解決手段】本発明は、ヒートポンプエアコンの冷房運転中に室内機の熱交換器でし集熱した熱を、冷媒ガスの循環経路工程で、屋外機２の空冷熱交換器直前から外部に配管を延長して、保温水槽３内の水中に熱交換器４と５を直列に配置して、大気中に空冷排熱をする前に保温水槽３の水中に蓄熱して、冬期の暖房運転時に、蓄熱した水中から熱交換器４と５から集熱して暖房に利用する。【選択図】図１
2014037953.tif 000002
【特許請求の範囲】
【請求項１】
夏期にヒートポンプエアコンの冷房排熱を、保温水槽内の水中に蓄熱して置き、冬期の暖房運転時に蓄熱した温水から熱を回収して有効利用する事を目的とする。
【発明の詳細な説明】
【技術分野】
【０００１】ヒートポンプエアコンの冷暖房排熱の保存と再利用に関する技術。
【発明の概要】
【発明が解決しようとする課題】
【０００２】従来から使用されていたエアコンは冷房排熱を無駄に大気中へ放出し、暖房運転時には、冬場の低気温からの熱回収は困難で低効率であった。
【課題を解決するための手段】
【０００３】本発明は、ヒートポンプエアコンの冷房運転で発生した排熱を、保温水槽３の水中に保存して置き、冬期に、保存して置いた熱を利用して暖房に利用する。
【発明の効果】
【０００４】従来のエアコンは夏の暑い時に冷房排熱を大気中へ大量に放熱する為、ヒートアイランド現象を加速させるので、熱は捨てないで保存して置き、再利用する事で地球環境にも、エネルギー節約にも貢献出来る。【０００５】ヒートポンプエアコンの冷房運転は、大気中に空冷放熱していた事に対して、保温水槽内の水中に放熱する工程は、水冷・冷却として働く為、空冷より水冷の方が冷房能率は良い為、節電にもなる。
【図面の簡単な説明】
【０００６】
【図１】矢印Ａは冷房運転時の冷媒ガスの流れる方向で、熱交換器４から熱交換器５の順、次に屋外機の熱交換器の順に放熱する。矢印Ｂは暖房運転の熱回収時、冷媒ガスの流れる方向で、始めに屋外機の熱交換機で集熱して、次に熱交換器５、その次に熱交換器４の順に熱回収を行う。
【符号の説明】
【０００７】１…室内機    ２…屋外機    ３…保温水槽    ４…熱交換器上    ５…熱交換器下
【図１】
2014037953.tif 000003
(57)【要約】      （修正有）【課題】魚焼き器のグリル内側と受け台の汚れとりを提供する。【解決手段】魚焼き器のグリル内側と受け皿の内側に１０枚から５０枚ほど重ねたアルミ箔を張り汚れたら１枚ずつはがして汚れを取るアルミ箔重ね１である。【選択図】図１
2014037950.tif 000002
【特許請求の範囲】
【請求項１】
魚焼き器のグリルの内側に各メーカーの寸法に合わせた寸法で又焼き台の受け皿にもアルミ箔を１０枚から５０枚重ねしたものを取り付けて汚れたら１枚ずつはがすていく汚れを取るアルミ箔重ねである。
【発明の詳細な説明】
【技術分野】
【０００１】本発明は、ガス、ＩＨヒーターの魚焼き器の油汚れを取るアルミ箔重ねである。
【背景技術】
【０００２】従来、魚焼き器の油汚れは取りにくかった
【発明が解決しようとする課題】
【０００３】そのために、次のような問題点があった
（イ）魚を焼くたびに掃除をすることはたいへんであった
（ロ）グリルの内部までは狭くてそうじができなかった
本発明は、以上の問題点を解決しようとするものである
【問題を解決しようとする手段】
【０００４】魚焼き器のグリルと受け皿にアルミ箔を１０枚から５０枚ほど重ね取り付ける。汚れがひどくなったら１枚ずつはがして汚れを取る。
【発明の効果】
【０００５】本発明は、魚焼き器の汚れを簡単にすることである。
【発明を実施するための最良の形態】
【０００６】以下、本発明の実施の形態を説明する。
（イ）魚焼き器の内側と魚焼き器の受け皿にアルミ箔を１０枚から５０枚ほど重ねたものを取り付け汚れたら１枚ずつはがす。
【図面の簡単な説明】
【０００７】
【図１】魚焼き器の内側に取り付けるアルミ箔の本発明の斜視図
【図２】魚焼き器の受け皿に取り付けるアルミ箔の斜視図
【符号の説明】
【０００８】１    ［図１］魚焼き器内側のアルミ箔を重ねたもの
２    ［図１］とり剥がしラベル
３    ［図２］受け皿のアルミ箔を重ねたもの
４    ［図２］とり剥がしラベル
【図１】
2014037950.tif 000003
【図２】
2014037950.tif 000004
(57)【要約】      （修正有）【課題】安価なFRP歯車を得るためにFRP織物シートを用いて歯車を製造する方法である。【解決手段】歯車軸に直交する繊維が積層間連続となるように繊維強化プラスチック（FRP）シートを巻き重ねて成形する。【選択図】図１
2014037859.tif 000002
【特許請求の範囲】
【請求項１】
複合材織物シートを捲き重ねすることにより成形される複合材歯車において、歯車軸に直交する繊維が積層間連続であることを特徴とする複合材歯車
【発明の詳細な説明】
【技術分野】
【０００１】
本発明は、繊維強化プラスチック（FRP）製歯車に関するものである。
【背景技術】
【０００２】
歯車の素材は金属あるいは樹脂が用いられている。金属歯車は強度はあるが重い、樹脂歯車は金属歯車に比べ強度は落ちるが軽い特徴がある。
【０００３】
実用に際し、金属歯車のように強度があり、樹脂歯車のように軽い歯車が望まれる。
【０００４】
FRPは軽くて強度もあり、FRPで歯車を製作すれば強くて軽い歯車が得られる。  
【０００５】
下記先行技術文献に見られるようにFRP歯車の製造が検討されている。  
【先行技術文献】
【特許文献】
【０００６】
【特許文献１】特開平５−８３１１号公報
【特許文献２】特許第２９５９９０７号公報
【発明の概要】
【発明が解決しようとする課題】
【０００７】
解決しようとする問題点は、金属歯車は強度はあるが重い、樹脂歯車は軽いが強度がないので、軽くて強度のある歯車を得ることである。軽くて強度のある歯車を得るには適した歯車素材を用いることである。FRPはその素材として適している。ただ、FRP製品は概して製造工程が複雑でコスト高になることである。FRP製品は一般にその製造工程が複数になるため素材の価格もさることながら製造工程数に応じたコストが発生し価格的に高価になる。FRP製品の製造方法として繊維を捲きつけていく方法がある（特許文献１）。人手を介さずにFRP繊維捲きつけによる成形が行えるため部品1個当たりの製造時間は少なく済むが、大量に生産するには、捲きつけ装置の複数台化が必要であり、設備投資が大きくなる。また、文献１のマンドレルに繊維を捲き付けたものに歯型を押し当て歯型を転写するにはある程度捲き付けを緩くしておかないと、FRPは伸びにくいため歯型が転写できない。文献２では歯部は切削加工により製作するが、強化用繊維が切断されてしまう。
【課題を解決するための手段】
【０００８】
本発明は、軽量、高強度かつ安価な歯車を得るため、FRP織物シートの強度負担繊維を切断することなく歯車を製造する方法である。
【発明の効果】
【０００９】
本発明の歯車は軽量・高強度であり、現在使われている多様な歯車を代替できる。
【図面の簡単な説明】
【００１０】
【図１】歯車を1枚のFRPシートで製造する方法の２次元表示
【図２】歯車を切り出すロッドを製造する方法の３次元表示
【図３】歯車を切り出すロッド
【図４】歯車を切り出す方法の例
【発明を実施するための形態】
【００１１】
1枚の連続FRPシートを歯車歯型の内側に積層する。積層は複数層とする。FRPシートを複数枚重ねたものを用いてもよい。
【００１２】
図１,図２は、FRPシート１から歯車切り出しロッドを製造する方法を示す。歯車雌型２にFRPシートを捲き重ねる。FRPシートはあらかじめ樹脂を含浸させたものを使うか、捲きつけた後に樹脂を含浸させる方法でもよい。必ずしも歯車軸部まで連続シートを捲き重ねる必要はない。捲き重ね積層回数は強度要求により異なる。強度が得られる厚さまで連続シートを捲き重ねたら、新たなシートを捲き重ねることも可能である。ただし、新たなシートと旧シートとが滑りを起こさないように両シートをオーバーラップする等の処置が必要である。
【００１３】
図３は樹脂が固まってできた歯車切り出しロッド３を示す。
【００１４】
図４はロッド３を所要の厚さとなるように長手方向に輪切りすることにより最終歯車を得る方法例である。
【産業上の利用可能性】
【００１５】
現在主流である金属歯車に対し、軽量・高強度かつ安価な価格の代替歯車が求められている。FRPは錆びないので歯車の特性として好ましい。
【符号の説明】
【００１６】
１    FRPシート
２    成形型
３    歯車切り出しロッド
４    完成歯車
５    のこぎり等切断具
【図１】
2014037859.tif 000003
【図２】
2014037859.tif 000004
【図３】
2014037859.tif 000005
【図４】
2014037859.tif 000006
(57)【要約】      （修正有）【課題】中空円筒からなる回転ドラムを動力部とした場合において、円筒内壁に具備した抵抗翼を流圧に応じて下流方向へ倣い可動させ、抵抗翼面の流れ方向への対向角度を抵抗に応じて変化させることで流圧負荷を一定範囲に留める可動翼構造とする。【解決手段】円筒内壁Ｂに具備した抵抗翼Ｄによって円筒ドラム自体を回転動力部とし、円筒内壁Ｂへの抵抗翼支持軸支点を抵抗翼上流寄りの所定位置となし、円筒内壁面に直交する抵抗翼支持軸が円壁内部において所定方向へ弾性回転をなす可動軸支持とすることで、抵抗翼面対向角度の基準設定に対する流圧増加に応じて抵抗翼面が下流方向への倣い可動となり、不安定な自然流体エネルギー応用の小発電装置の回転部においての安定動力を得る事が出来る。【選択図】図１
2014037820.tif 000002
【特許請求の範囲】
【請求項１】
流体貫通条件下の円筒自体が回転動力部となる回転ドラム内の抵抗翼構造において、流れ方向に相対させて円筒内壁に具備した抵抗翼面が流圧方向への倣い可動を為すことを特徴とした流体応用回転動力装置。
【請求項２】
前項に記載する抵抗翼の支持軸において、円筒内壁を貫通する抵抗翼の支持軸が円筒壁内部で抵抗方向への弾性回転を為す可動支持軸となることを特徴とする請求項１に記載する流体応用回転動力装置。
【発明の詳細な説明】
【技術分野】
【０００１】  風力及び水力等の流体応用回転動力体の抵抗翼に関する。
【背景技術】
【０００２】  再生エネルギー応用の発電要求が高まる中、自然の風力や水力及び潮流等の低流圧を応用した小力発電装置の考案が多くなされており、それらの回転動力部は有軸プロペラ（スクリュー）と中空円筒の回転ドラムに大方二分される。【０００３】  回転動力部が有軸プロペラ（スクリュー）の場合、流圧が回転翼の負荷処理能力を超えないことに加え、下流方向に開放域を有することが不可欠条件となり、また、一方の中空円筒内壁に具備する抵抗翼利用の回転ドラムが動力部となる場合は、円筒内部の流体貫通能力を超えない流量規制が求められるため、流入量制御の機能付加が予め必要となる。【０００４】  尚、自然流体による低圧流を応用した小力発電装置においては、流体エネルギーの転化効率上から回転動力部を中空円筒の回転ドラムとする方法が多く、先行技術の例として特開２０１１−６４１９５にみられるように、円筒内部にスパイラル状の翼を具備し円筒中心部に貫通孔を有した回転ドラムを小水力発電用動力部とする考案がある。【０００５】  しかし、これら円筒内固定翼の場合、回転負荷処理能力を自然流圧が超過する条件下にあっては流入量の制限機能を付帯する必要が生じ、また、基本設定において流入量の許容範囲を拡大させた場合、小流圧時における回転能力が低下する不具合が生じることになる。
【発明の開示】
【発明が解決しようとする課題】
【０００６】  そこで、中空円筒からなる回転ドラムを動力部とした場合において、円筒内壁に具備した抵抗翼を流圧に応じて下流方向へ倣い可動させ、抵抗翼面の流れ方向への対向角度を抵抗に応じて変化させることで流圧負荷を一定範囲に留める可動翼構造とする。
【課題を解決するための手段】
【０００７】  円筒自体が自在回転をなす流体応用のドラム回転動力部であり、その円筒内壁Ｂに具備される複数の抵抗翼Ｄの翼面が流れ方向への所定対向角度を有し、回転円筒ドラムが前後ベアーリング支持及び円筒外周付帯のベアーリング支持となり、何れも円筒内壁Ｂに具備した抵抗翼Ｄの効力で回転をなす円筒ドラムＡの自在性を妨げないことを条件とし、円筒内壁Ｂへの抵抗翼上の支持軸支点を上流寄り所定位置とし、円筒内壁面に直交する抵抗翼支持軸が円壁内部において所定方向への弾性回転を為す可動軸支持とする。図１参照【０００８】  その場合の抵抗翼面における流れ方向への対向角度設定は立地諸条件上の低流圧範囲を初期設定の基準とし、流圧増加に伴って受ける抵抗翼面の流圧負荷に応じて翼面が下流方向への倣い可動となり、過剰流圧を受け流すことで余剰抵抗の開放を図る構造とする。【０００９】  尚、抵抗翼面が流圧に伴い抵抗負荷を受け流す倣い角度となる弾性可動翼によって、不安定な自然流圧を応用した小発電装置の回転動力部とした場合において、立地諸条件に応じた流圧の応用範囲が任意設定可能となることに加え、流圧変化に関わらず常に一定の回転動力を得る事が出来、また、適応規模に基づく初期設定外の過剰流圧条件時においては、弾性可動抵抗翼の効力により回転装置のセーフティー機能が発揮される。
【発明の効果】
【００１０】  本発明は自然応用の小発電装置の外に流体エネルギー利用の回転動力部に応用可能であり、流圧方向に倣い可動する弾性抵抗翼の効果は、過剰流圧時のトラブル回避に加え常に一定流圧を享受し得ることによって装置の安定稼働となって現れる。
【発明を実施するための最良の形態】
【００１１】  回転円筒ドラムの外側に固定円筒を備えて二重円筒とし、内外円筒の円径差による所定の貫通域を有し、内外円筒双方の下流側端部を外側へ拡大させることでデフィーザー効果の相乗機能を演出し、円筒内通過の流速エネルギー増幅による回転効率を高めることが出来る。
【図面の簡単な説明】
【００１２】
【図１】抵抗翼可動機能概念（断面図）
【図２】円筒ドラム内抵抗翼イメージ（正面図）
【符号の説明】
【００１３】    Ａ  円筒ドラム
Ｂ  円筒内壁
Ｄ  抵抗翼
Ｅ  抵抗翼支持軸部
Ｆ  過剰流圧時の抵抗翼位置
Ｇ  円筒外壁
【図１】
2014037820.tif 000003
【図２】
2014037820.tif 000004
(57)【要約】【課題】中心が取り易く、風向に無関係で、磁気浮上により摩擦が減少し、騒音が少ない垂直軸風車を提供する。【解決手段】同極の永久磁石（２）を、台座（１）と回転軸（７）に取り付け、対面することで回転板を浮上させ、回転させることを特徴とする。【選択図】図２
2014037821.tif 000002
【特許請求の範囲】
【請求項１】
同極の永久磁石（２）を、主軸（６）と回転板（５）にダリウス・ローター（３）及びサポニウス・ローターを取り付けた回転軸（７）を対面させ、磁気浮上による垂直軸回転風車。
【発明の詳細な説明】
【技術分野】
【０００１】この発明は、磁気浮上による回転を容易にした垂直軸風車に関するものである。
【背景技術】
【０００２】一般に、水平軸風車に対して垂直軸風車が余り普及していない。
【先行技術文献】
【特許文献】
【０００３】
【特許文献１】
【発明の概要】
【発明が解決しようとする課題】
【０００４】従来、風車は水平軸が主体となっているが、重心の安定性や風向又騒音の問題があった。本発明は以上の欠点をなくす為になされたものである。
【課題を解決するための手段】
【０００５】永久磁石（２）の同極を対面させて、主軸（６）に対する反発力により回転軸（７）を浮上させ、ローター（３）、（４）を取り付けた回転板（５）を回転させるもので、安定性に優れ、騒音も少なく、風向にも無関係で、本発明は、以上のような欠点をなくす為なされたものである。
【発明の効果】
【０００６】（イ）  垂直軸は、風の方向とは無関係な円回転であり、中心が安定している。
（ロ）  磁気浮上により、摩擦音が減少する。
【図面の簡単な説明】
【０００７】
【図１】本発明の正面図である。
【図２】本発明の斜視図である。
【図３】本発明のローター付回転板の部分の正面図である。
【図４】本発明の台座部分の正面図である。
【発明を実施するための形態】
【０００８】以下、本発明を実施するための形態について説明する。
台座（１）で固定した主軸と、ローター（３）、（４）付の回転板（５）取り付けた回転軸（７）に、永久磁石（２）を付け、対面させる。回転板（５）には、ダリウス型（３）サポニウス型（４）ローターを取り付ける。使用する時は、主軸（６）が回転軸（５）に対面が同極になるように挿入する。
【符号の説明】
【０００９】１    台座
２    永久磁石
３    ダリウス・ローター
４    サポニウス・ローター
５    回転板
６    主軸
７    回転軸
【図１】
2014037821.tif 000003
【図２】
2014037821.tif 000004
【図３】
2014037821.tif 000005
【図４】
2014037821.tif 000006
(57)【要約】【課題】建築工事中の降雨等により水が外装材に浸透することを防止し、なおかつ建物に設置した際の外装材の内側の調湿機能を確保する。【解決手段】ＡＬＣパネル１０は、外表面及び内表面に防水塗膜層２０、２１が形成されている。内表面の防水塗膜層２１の透湿抵抗は、外表面の防水塗膜層２０の透湿抵抗よりも小さくなっている。【選択図】図１
2014037700.tif 000002
【特許請求の範囲】
【請求項１】
ＡＬＣからなり、
外表面及び内表面には、防水塗膜層が形成され、
内表面の防水塗膜層の透湿抵抗が外表面の防水塗膜層の透湿抵抗よりも小さい、外装材。
【請求項２】
請求項１に記載した外装材を外壁の最外部に有する、建物の外壁構造。
【発明の詳細な説明】
【技術分野】
【０００１】
本発明は、外装材及び建物の外壁構造に関する。
【背景技術】
【０００２】
建物の外壁構造において外装材として用いられるＡＬＣ（Autoclaved Lightweight aerated Concrete）パネルは、湿度を調整する調湿機能を有する。このＡＬＣパネルを建物の外壁として設置した際に建物内の調湿を行わせるため、ＡＬＣパネルの内表面には防水塗膜層を形成せずに、外表面にのみ防水塗膜層を形成するのが一般的である。
【先行技術文献】
【特許文献】
【０００３】
【特許文献１】実開平１−７０９１５号公報
【発明の概要】
【発明が解決しようとする課題】
【０００４】
しかし、外表面にのみ防水塗膜層を形成した場合、建築工事中の降雨等により、ＡＬＣパネルの内側面の表層部分に水が浸透することがある。これにより、ＡＬＣパネルが変色して（濡れ色となる）悪印象を与えることがあった。
【０００５】
特許文献１には、ＡＬＣパネル本体の表面全体を非透湿被膜で覆うことが提案されているが、これでは建物に設置した際のＡＬＣパネルの内側の調湿機能が発揮されなくなり、建物内部の湿度調整を適切に行うことができない。
【０００６】
本発明は、かかる点に鑑みてなされたものであり、建築工事中の降雨等により水が外装材に浸透することを防止でき、なおかつ建物に設置した際の外装材の内側の調湿機能を確保できる外装材及び建物の外壁構造を提供することをその目的とする。
【課題を解決するための手段】
【０００７】
上記目的を達成するための本発明は、ＡＬＣからなり、外表面及び内表面には、防水塗膜層が形成され、内表面の防水塗膜層の透湿抵抗が外表面の防水塗膜層の透湿抵抗よりも小さい、外装材である。
【０００８】
本発明によれば、防水塗膜層が外表面と内表面に形成され、内表面の防水塗膜層の透湿抵抗が外表面の防水塗膜層の透湿抵抗よりも小さいので、建築工事中の降雨等により水が外装材内に浸透することを防止できる。また、建物に設置した際の外装材の内表面側の調湿機能を確保でき、建物内部の湿度調整を適切に行うことができる。
【０００９】
別の観点による本発明は、上記外装材を外壁の最外部に有する、建物の外壁構造である。
【発明の効果】
【００１０】
本発明によれば、外装材に雨水等の水が浸透することがなく、外装材の変色を防止できる。また、内表面の防水塗膜層の透湿抵抗が低く抑えられているので、建物に設置した際の外装材の内側の調湿機能を確保できる。
【図面の簡単な説明】
【００１１】
【図１】建物の外壁構造の一例を示す断面図である。
【発明を実施するための形態】
【００１２】
以下、図面を参照して、本発明の好ましい実施の形態について説明する。図１は、本実施の形態に係る外装材を外壁の最外部に有する建物の外壁構造１を示す断面図である。
【００１３】
建物の外壁構造１は、外装材としてのＡＬＣパネル１０と、ＡＬＣパネル１０が固定される梁部１１を有している。ＡＬＣパネル１０は、ボルトなどにより梁部１１に固定され、建物の外壁の最外部を構成している。ＡＬＣパネル１０は、例えば７５ｍｍ〜１００ｍｍ程度の厚みを有している。
【００１４】
ＡＬＣパネル１０の外表面には、外側防水塗膜層２０が形成されている。外側防水塗膜層２０は、例えば合成樹脂エマルジョン系の複層仕上げ塗材からなる。外側防水塗膜層２０は、例えば３層構造を有し、防水性を担保する下塗り層と、色彩や模様を付与する中間層と、耐久性を担う上塗り層を有し、塗膜厚を調整することにより、外側防水塗膜層２０の透湿抵抗は、０．０２〜０．０３m2・s・Pa/ugに設定されている。
【００１５】
ＡＬＣパネル１０の内表面には、内側防水塗膜層２１が形成されている。内側防水塗膜層２１は、例えば合成樹脂エマルジョン系の単層仕上げ塗材からなる。内側防水塗膜層２１は、例えば下塗り層のみの１層構造を有し、塗膜厚を調整することにより、内側防水塗膜層２１の透湿抵抗は、０．０１〜０．０２m2・s・Pa/ugに設定されている。よって、内側防水塗膜層２１の透湿抵抗は、外側防水塗膜層２０の透湿抵抗よりも小さくなっている。
【００１６】
本実施の形態によれば、防水塗膜層がＡＬＣパネル１０の外表面と内表面に形成され、内側防水塗膜層２１の透湿抵抗が外側防水塗膜層２０の透湿抵抗よりも小さいので、建築工事中の降雨等より水がＡＬＣパネル１０に浸透することが防止できる。また、建物に設置した際のＡＬＣパネル１０の内側の調湿機能を確保できるので、建物内部側の湿度を適切に調整できる。
【００１７】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００１８】
例えば以上の実施の形態では、建物の外壁構造１が、梁部１１に固定されたＡＬＣパネル１０を有するものであったが、ＡＣＬパネル１０を建物の外壁の最外部に有するものであれば、他の外壁構造にも本発明は適用できる。また、外装材は、パネル状である必要はなく、他の形状のものであってもよい。
【産業上の利用可能性】
【００１９】
本発明は、建築工事中の降雨等により水が外装材に浸透することを防止し、なおかつ建物に設置した際の外装材の内側の調湿機能を確保する際に有用である。
【符号の説明】
【００２０】
１  建物の外壁構造
１０  ＡＬＣパネル
１１  梁部
２０  外側防水塗膜層
２１  内側防水塗膜層
【図１】
2014037700.tif 000003
(57)【要約】【課題】  炎天下に帽子を着用する場合、頭と帽子の間の空間に保冷剤等を装着し、帽子内の空間を長時間冷却できる帽子用冷却具を提供する。【解決手段】  冷却した保冷剤をウレタン等の保温材で包み、上側にアルミ面がくるようにアルミ蒸着シートを取り付け、面ファスナーテープ等で帽子の中側に取り付けるように構成したことを特徴とする帽子用冷却具。【選択図】図１
2014037665.tif 000002
【特許請求の範囲】
【請求項１】
冷却した保冷剤をウレタン等の保温材で包み、上側にアルミ面がくるようにアルミ蒸着シートを取り付け、面ファスナーテープ等で帽子の中側に取り付けるように構成したことを特徴とする帽子用冷却具。
【発明の詳細な説明】
【技術分野】
【０００１】  本発明は、炎天下に帽子を着用する場合、頭と帽子の間の空間に保冷剤等を装着し、帽子内の空間を冷却する帽子用冷却具に関するものである。
【背景技術】
【０００２】  従来、炎天下に屋外を歩く場合、日射を防ぐために帽子を着用していたが、気温の高い日には、帽子内の頭と帽子との間の空間が熱くなり過ぎ、頭を涼しい状態に保つ事が難しかった。
また、この帽子内に保冷材を設置し帽子内の温度上昇を抑制する考案が知られている（特許文献１）。
【先行技術文献】
【特許文献】
【０００３】
【特許文献１】登録実用新案第３１１３５４３号
【発明の概要】
【発明が解決しようとする課題】
【０００４】  従来より、以下の問題点があった。
（イ）炎天下に帽子を着用した場合、帽子内の頭と帽子との間の空間が熱くなり過ぎる。
（ロ）帽子自体に、冷却機能を持たせた場合、好みの帽子を自由に選ぶことができない。
（ハ）好みの帽子に着脱式の保冷剤を取り付ける方式もあるが、強力な日射に対し、保冷剤の効果を持続させる事が難しかった。
【課題を解決するための手段】
【０００５】  冷凍庫で、冷凍した保冷剤を、ウレタンなどの保温性、緩衝性の有る材質で包み、上側にアルミ面がくる様にアルミ蒸着シートを取り付ける。これを面ファスナーテープなどで好みの帽子の中側に取り付け着用する。
【発明の効果】
【０００６】  本発明は、帽子内の頭と帽子との間の空間を涼しく保つ事ができる。
また、好みの帽子に装着できる。
そして、アルミ蒸着シートが強力な日射を反射し、保冷剤の効果を長時間持続させる事ができる。
【図面の簡単な説明】
【０００７】
【図１】本発明を斜め上から見た斜視図である。
【図２】本発明の断面図である。
【図３】本発明を帽子に装着したものを斜め下から見た斜視図である。
【図４】本発明を帽子に装着したものの断面図である。
【発明を実施するための形態】
【０００８】  以下、本発明の実施の形態を説明する。
（イ）アルミ蒸着シート（１）にアルミ面が外側になる様に袋状ウレタン（２）を接着する。
（ロ）袋状ウレタン（２）に冷凍した保冷剤（４）を入れる。
（ハ）袋状ウレタン（２）に面ファスナーテープ（３）を取り付ける。
（ニ）面ファスナーテープ（３）を介して帽子（５）に取り付ける。
本発明は、以上の構成よりなっている。
本発明を使用するときは、上記アルミ蒸着シート（１）付き袋状ウレタン（２）に冷凍した保冷剤（４）を入れ面ファスナーテープ（３）で帽子（５）に取り付け着用する。
【符号の説明】
【０００９】１  アルミ蒸着シート
２  袋状ウレタン
３  面ファスナーテープ
４  保冷剤
５  帽子
【図１】
2014037665.tif 000003
【図２】
2014037665.tif 000004
【図３】
2014037665.tif 000005
【図４】
2014037665.tif 000006
(57)【要約】【課題】  太陽光発電設備を波型スレート屋根に設置する工事を屋根裏に入らず屋根の上からのみで行う工事方法を提供する。【解決手段】  屋根のスレート板（８）に穴（９）をあけ、その穴の中に足金具（２）を差し込み足の中心でタッピングビス（３）で母屋（７）に固定する太陽光発電設備の架台の設置方法【選択図】図２
2014037757.tif 000002
【特許請求の範囲】
【請求項１】
門形ラーメン構造材の足部分を屋根材を貫通して屋根裏の支持材にパイプの中を通してタッピングビスで固定する工事方法。
【請求項２】
門形ラーメン構造材の足部分は外パイプの中に、そのパイプより少し長いパイプを挿入して固定することにより接合点がよりピン結合となる様に固定する工事方法。
【請求項３】
門形ラーメン構造材の足部分は平板にパイプを溶接して剛接合しそれを母材にボルトで固定する工事方法。
【発明の詳細な説明】
【技術分野】
【０００１】  この発明は太陽光電池アレイ架台を屋根に設置に関するものである。
【背景技術】
【０００２】  太陽光電池のアレイを既設の波形スレート葺屋根に設置する場合の固定方法は
（１）母屋に取り付け金具を取り付けてスレート葺屋根を貫通させたネジ棒に架台取り付け金具をつける方法
（２）既設のスレート固定のフックボルトを利用する方法
（３）スレート上部からスレートの波形に合わせた金具を母屋にボルトで固定る方法がある。
いずれの方法も屋根裏に入っての作業が伴なう。
スレート上部からスレートの波形に合わせた金具を母屋にボルトで固定する方法はスレートに上部から圧力が加わることになりスレートの破損につながり易い。
いずれの方法も作業性が悪く、スレートに加重をかけずに屋根の上からのみで作業が出来る方法は現在実施されていない。
【先行技術文献】
【特許文献】
【０００３】
【特許文献１】
【発明の概要】
太陽光電池のアレイを波形スレートの建物屋根に乗せる場合、自重、積雪荷重、台風による風圧、地震による水平力に対して安全な方法でアレイを屋根に取り付ける必要がある。
スレートとに直接荷重をかけない為には母屋に直接荷重を持たせる方法となる。
母屋はスレートの下にあり荷重により発生する曲げモーメントを母屋にかけようとすると必然的に屋根の裏側に入り曲げモーメントに耐える金具を取り付けないといけない。
本発明は母屋にかかる荷重は垂直力と水平力とが発生するがその水平力により母屋支持点に曲げモーメントの応力が発生しない様にその点をピン構合になる構造とし、曲げモーメントの吸収は屋根上の架台で行う構造としたのが本発明の特徴である。
【発明が解決しょうとするの課題】
【０００４】  台風、雪、地震に対して十分な強度を有する太陽光発電設備の架台設置方法は母屋に曲げモーメントに耐える金具を取り付けスレート上にその先を出し、それに架台を取り付ける方法が現在採られている。
その作業は屋根裏作業を伴ない作業に多くの労力を要する。従来屋根の上からのみで台風、雪、地震に対して十分な強度を有し既設スレートに加重が加わらない工事方法は実施されていない。それを解決したのが今回の発明である。
【課題を解決するための手段】
【０００５】  アレイを支える架台の支持は４点支持となる様な位置に足を設け、その上部接合点は剛構合となるように頑丈に溶接する。
母屋に接して荷重を支える部分はピン結合となるように頑丈に固定しない。
この構造にすると屋根裏に人が入っての作業は皆無となり安全に架台上の荷重を母屋に持たせる事が出来る構造となる。
その具体的な方法を次に記す。
屋根の上からスレートに母屋部分に穴をあけ、穴は４点支持部分とし足金具を差し込みパイプの中に更に細く少し長いパイプを差し入れる。
その中をタッピングビスで母屋にピン構造となるように締め付ける。
母屋に固定した後架台材と足金具をボルトで固定し剛接合部を作る。
屋根の傾斜により常時自重による落下推力が足に働くが足金具は架台側が剛構造で接合してある。
母屋に接触しているパイプは中パイプを外パイプより少し長く細くし、細いタッピングビスで固定のためピン構造の結合状態となり、その部分に発生する応力は、せん断力のみでモーメントによる応力は発生しない。
パイプと母屋とは自重及びボルトによる締め付け力によりずり下がろうとする応力に抗して安定に固定された状態となる。
スレート屋根貫通部分は雨が漏れない様にコーキングを行う。
スレート屋根の山部分と架台下部との間隔は２０ｍｍ〜４０ｍｍとしコーキングを行い易くする。
この構造にすればスレートには応力がかからず破損の心配は無い。
【発明の効果】
【０００６】  屋根裏の作業が皆無で屋根上からの作業のみとなり少ない労力で取り付けが出来る。
【図面の簡単な説明】
【０００７】
【図１】取り付け状況の全体図
【図２】足金具を取り付けた正面図
【図３】足金具を取り付けた側面図の一部
【発明を実施するための形態】
【０００８】  以下本発明を実施するための形態について説明する。
母屋に必ず足金具（２）が乗るようスレート上に印をつける。
その部分に穴（９）をあける。
足金具（２）を差し込む。
足金具（２）の管の中に中パイプ（４）を挿入する。
足金具と横架台材（１）とをボルト（１２）で結合する。
その中をタッピングビスで母屋に固定する。
その横架台材（１０）に縦架台材を直角にボルトで結合する。
穴（９）の隙間をコーキング材で埋める。
縦架台材に太陽光アレイを取り付ける。
全ての作業が屋根上から出来少ない人工で作業が完了する。
【符号の説明】
【０００９】  （１）横架台材
（２）足金具
（３）タッピングビス
（４）中パイプ
（５）平板座金
（６）ボルト
（７）母屋
（８）波型スレート
（９）穴
（１０）縦架台材
（１１）押え平板
（１２）ボルト
（１３）断熱材
（１４）フックボルト
（１５）梁
【図１】
2014037757.tif 000003
【図２】
2014037757.tif 000004
【図３】
2014037757.tif 000005
(57)【要約】【課題】己自身と私達の社会、地球生命体、太陽系、銀河、2014037760.tif 000006へと昇華させる。【解決手段】2014037760.tif 000007有・粋へ昇華する、個人住宅、集合住宅から公共建築物に至るまでの設計の元型。【選択図】図１
2014037760.tif 000002
【特許請求の範囲】
【請求項１】
円錐形を逆にした形と円球の組み合わせの基本型その変型、もしくはその組み合わせで構築される神になる建築物の設計。
【発明の詳細な説明】
【技術分野】
【０００１】個人住宅、集合住宅から公共建築物に至るまでの元型に関する。
【発明の概要】
【発明が解決しようとする課題】
【０００２】神とはこの宇宙、そしてこの宇宙が存在する無限多次元
2014037760.tif 000003
有・粋へと昇華させる意志といえる。【０００３】私達、地球人は己自身と私達の社会、地球生命全体
2014037760.tif 000004
前進させ、有・粋へと昇華させるのが使命である。
【課題を解決するための手段】
【０００４】上記、使名を達成するために、そして住む人、利用する人、
2014037760.tif 000005
住宅、集合住宅から公共建築物に至るまでの元型を示す。【０００５】基本型は円錐形を逆にした形と円球の組み合わせである。
【図面の簡単な説明】
【０００６】
【図１】基本型  上方正面からの図
【図２】変型１  上方正面からの図
【図３】変型２  上方正面からの図
【発明を実施するための形態】
【０００７】実施の形態を図１〜図３に基づいて説明する。
１、２は円球で、３は外に膨らむ円弧、４は円錐である事を示す。
【０００８】５、６は楕円球で、７は外に膨らむ円弧、８は楕円錐である事を示す。
【０００９】９、１０は楕円球で、１１は外に膨らむ円弧、１２は楕円錐である事を示す。
【００１０】ほとんどの上層ほど細くなるタワー等の建築物は全くの逆効果となっているのである。
【００１１】上記の基本型の変型、組み合わせで様々な建築物を構築する。
【図１】
2014037760.tif 000008
【図２】
2014037760.tif 000009
【図３】
2014037760.tif 000010